(57)【要約】【課題】長期間に亘って、ブロックと目地、ひいては隣接するブロック同士の定着状態を安定して維持することができる躯体構築用ブロックを提供すること。【解決手段】ブロック１のフェイスシェル１１の側面に、フェイスシェル１１の高さ方向に延びる凹溝１２を設け、この凹溝１２に目地を形成するモルタルが充填されるようにする。【選択図】図１
0003190908.tif 000002
【実用新案登録請求の範囲】
【請求項１】
目地を介して一体化することにより躯体を構築するようにしたブロックにおいて、ブロックのフェイスシェルの側面に、フェイスシェルの高さ方向に延びる凹溝を設け、該凹溝に目地を形成するモルタルが充填されるようにしてなることを特徴とする躯体構築用ブロック。
【請求項２】
前記凹溝の幅及び深さが、それぞれ２ｍｍ以上あることを特徴とする請求項１記載の躯体構築用ブロック。
【請求項３】
前記凹溝が、フェイスシェルの表面からフェイスシェルの厚さ方向に３ｍｍ以上あけて設けられてなることを特徴とする請求項１又は２記載の躯体構築用ブロック。
【考案の詳細な説明】
【技術分野】
【０００１】
本考案は、目地を介して一体化することによりブロック塀、建物の壁体等の躯体（本明細書において、単に、「躯体」という場合がある。）を構築するために用いられるブロックに関するものである。
【背景技術】
【０００２】
従来、躯体を構築するために用いられるブロックは、複数のブロックを目地を介して一体化することにより躯体を構築するようにしている。
【考案の概要】
【考案が解決しようとする課題】
【０００３】
しかしながら、従来のブロックは、ブロックのフェイスシェルの側面が平坦な面に形成され、目地を構成するモルタルをバインダとして一体化するものであるため、温度変化や経年変化に起因するブロックと目地との収縮率の差等によって、定着状態を維持できなくなり、ひび割れや隙間が発生しやすいという問題があった。
【０００４】
本考案は、上記従来の躯体を構築するために用いられるブロックの有する問題点に鑑み、長期間に亘って、ブロックと目地、ひいては隣接するブロック同士の定着状態を安定して維持することができる躯体構築用ブロックを提供することを目的とする。
【課題を解決するための手段】
【０００５】
上記目的を達成するため、本考案の躯体構築用ブロックは、目地を介して一体化することにより躯体を構築するようにしたブロックにおいて、ブロックのフェイスシェルの側面に、フェイスシェルの高さ方向に延びる凹溝を設け、該凹溝に目地を形成するモルタルが充填されるようにしてなることを特徴とする。
【０００６】
この場合において、前記凹溝の幅及び深さが、それぞれ２ｍｍ以上あるようにすることができる。
【０００７】
また、前記凹溝が、フェイスシェルの表面からフェイスシェルの厚さ方向に３ｍｍ以上あけて設けられてなるようにすることができる。
【考案の効果】
【０００８】
本考案の躯体構築用ブロックによれば、ブロックのフェイスシェルの側面に、フェイスシェルの高さ方向に延びる凹溝を設け、該凹溝に目地を形成するモルタルが充填されるようにしてなるようにすることにより、凹溝に充填された目地を構成するモルタルによって、ブロックと目地とを強固に一体化することができ、温度変化や経年変化に起因するブロックと目地との収縮率の差等があっても、長期間に亘って、ブロックと目地、ひいては隣接するブロック同士の定着状態を安定して維持することができ、ひび割れや隙間の発生を防止することができる。
【０００９】
また、前記凹溝の幅及び深さが、それぞれ２ｍｍ以上あるようにすることにより、凹溝に目地を形成するモルタルを確実に充填することができ、モルタルの未充填による空洞の発生を防止することができるとともに、モルタルの固化後の目地の十分な剪断強度を確保することができる。
【００１０】
また、前記凹溝が、フェイスシェルの表面からフェイスシェルの厚さ方向に３ｍｍ以上あけて設けられてなるようにすることにより、輸送時時の衝撃等によって欠損等の損傷を受けることを防止することができる。
【図面の簡単な説明】
【００１１】
【図１】本考案の躯体構築用ブロックの第１実施例を示し、（ａ）は正面断面図（（ｂ）のＸ−Ｘ断面図）、（ｂ）は平面図、（ｃ）は側面図、（ｄ）は（ｂ）のＡ部の拡大図である。
【図２】本考案の躯体構築用ブロックの第２実施例を示し、（ａ）は正面断面図（（ｂ）のＸ−Ｘ断面図）、（ｂ）は平面図、（ｃ）は側面図、（ｄ）は（ｂ）のＡ部の拡大図である。
【図３】本考案の躯体構築用ブロックのフェイスシェルの側面に設ける凹溝の各種形状を示す説明図である。
【図４】本考案の躯体構築用ブロックのフェイスシェルの側面に設ける凹溝の各種形状を示す説明図である。
【考案を実施するための形態】
【００１２】
以下、本考案の躯体構築用ブロックの実施の形態を、図面に基づいて説明する。
【００１３】
図１に、本考案の躯体構築用ブロックの第１実施例を示す。
この躯体構築用ブロック１は、目地を介して一体化することによりブロック塀、建物の壁体等の躯体を構築するために用いられるもので、ブロック１のフェイスシェル１１の側面に、フェイスシェル１１の高さ方向に延びる凹溝１２を設け、この凹溝１２に目地を形成するモルタルが充填されるようにしてなるようにしている。
【００１４】
この場合において、凹溝１２は、本実施例においては、各フェイスシェル１１の側面に２本ずつ設けるようにしたが、例えば、図２に示す本考案の躯体構築用ブロックの第２実施例のように、１本とすることもでき、さらに、フェイスシェル１１の厚さ等に応じて、図３（ａ）及び（ｂ）に示すように、３本又はそれ以上の本数を設けるようにすることもできる。
【００１５】
凹溝１２の断面形状は、図１（ｄ）に示す矩形や図２（ｄ）に示すに示す台形のほか、図３（ｃ）に示す半円形や図３（ｄ）に示す波形等の、目地を形成するモルタルが充填可能な任意の形状とすることができる。
【００１６】
凹溝１２は、目地が形成される隙間を設けて隣接するブロック１の対向する各フェイスシェル１１の側面に設けることが望ましいが、図３（ｅ）に示すように、いずれか一方のフェイスシェル１１の側面のみに設けることもでき、このような形態を排除しない。
【００１７】
凹溝１２の幅Ｗ及び深さＤは、それぞれ２ｍｍ以上、好ましくは、３ｍｍ以上あるようにすることが望ましく、例えば、幅Ｗを大きく取るために、図２（ｄ）や図３（ｆ）に示すように、凹溝１２の本数を１本としてもよい。
これにより、凹溝１２に目地を形成するモルタルに含まれる砂の粒子の大きさのバラツキの影響を受けることなくモルタルを確実に充填することができ、モルタルの未充填による空洞の発生を防止することができるとともに、モルタルの固化後の目地の十分な剪断強度を確保することができる。
【００１８】
凹溝１２は、フェイスシェル１１の表面からフェイスシェル１１の厚さ方向に３ｍｍ以上、好ましくは、５ｍｍ以上あけて設けるようにすることが望ましい。
また、フェイスシェル１１の内側表面からも、フェイスシェル１１の厚さ方向に３ｍｍ以上、好ましくは、５ｍｍ以上あけて設けるようにすることが望ましい。
これにより、輸送時の衝撃等によって欠損等の損傷を受けることを防止することができる。
なお、化粧ブロックの場合のように、フェイスシェル１１の縁部に面取りが施されている場合には、図４（ａ）及び（ｂ）に示すように、面取りが施されている部分を避けて、その内側に凹溝１２を設けるようにする。
【００１９】
この躯体構築用ブロック１によれば、ブロック１のフェイスシェル１１の側面に、フェイスシェル１１の高さ方向に延びる凹溝１２を設け、この凹溝１２に目地を形成するモルタルが充填されるようにしてなるようにすることにより、凹溝１２に充填された目地を構成するモルタルによって、ブロック１と目地とを強固に一体化することができ、温度変化や経年変化に起因するブロック１と目地との収縮率の差等があっても、長期間に亘って、ブロック１と目地、ひいては隣接するブロック１同士の定着状態を安定して維持することができ、ひび割れや隙間の発生を防止することができる。
【００２０】
なお、本実施例においては、ブロック１のフェイスシェル１１の側面に、フェイスシェル１１の高さ方向に延びる凹溝１２を設けるようにしたが、さらに、フェイスシェル１１の上下面に、フェイスシェル１１の横方向に延びる凹溝（図示省略）を設けるようにすることもでき、これにより、凹溝に充填された目地を構成するモルタルによって、ブロック１と横方向の目地とを強固に一体化することができる。
【００２１】
以上、本考案の躯体構築用ブロックについて、その実施例に基づいて説明したが、本考案は上記実施例に記載した構成に限定されるものではなく、その趣旨を逸脱しない範囲において適宜その構成を変更することができるものである。
【産業上の利用可能性】
【００２２】
本考案の躯体構築用ブロックは、長期間に亘って、ブロックと目地、ひいては隣接するブロック同士の定着状態を安定して維持することができることから、ブロック塀、建物の壁体等の躯体を構築するために用いられるブロックの用途に好適に用いることができる。
【符号の説明】
【００２３】
１  躯体構築用ブロック
１１  フェイスシェル
１２  凹溝
【図１】
0003190908.tif 000003
【図２】
0003190908.tif 000004
【図３】
0003190908.tif 000005
【図４】
0003190908.tif 000006